(57)【要約】      （修正有）【課題】組立作業に不慣れな一般人であっても、容易に、かつ、短時間で組立式家具を組立てることができるようにした組立式家具用の連結手段を提供する。【解決手段】組立式家具における一方の構成部材３に固定される第一連結体１１と、当該一方の構成部材に対応する他方の構成部材５に固定される第二連結体１３とよりなる。第一連結体は木ねじ１５用の下穴１７を備え、第二連結体は木ねじ用の案内穴１９を下穴に連通するように備え、案内穴は木ねじの頭部１５ａを受ける頭部受け部１９ａを備え、案内穴は外方からねじ回しにより該木ねじを締め付けることができるように第二連結体の外部に開口している。【選択図】図１
0003177219.tif 000002
【実用新案登録請求の範囲】
【請求項１】
組立式家具における一方の構成部材に固定される第一連結体と、当該一方の構成部材に対応する他方の構成部材に固定される第二連結体とよりなり、
該第一連結体は木ねじ用の下穴を備え、該第二連結体は該木ねじ用の案内穴を該下穴に連通するように備え、該案内穴は該木ねじの頭部を受ける頭部受け部を備え、該案内穴は外方からねじ回しにより該木ねじを締め付けることができるように該第二連結体の外部に開口していることを特徴とする組立式家具用の連結手段。
【請求項２】
前記第一連結体の下穴と前記第二連結体の案内穴とを該第一連結体及び該第二連結体に対し傾斜させたことを特徴とする請求項１に記載の組立式家具用の連結手段。
【請求項３】
前記第一連結体と前記第二連結体とには、それぞれ位置決め用の嵌合手段を備えさせたことを特徴とする請求項１又は２に記載の組立式家具用の連結手段。
【考案の詳細な説明】
【技術分野】
【０００１】
本考案は、組立式家具用の連結手段に関するものであり、更に詳しくは、組立式家具における構成部材と構成部材とを連結する手段に係るものである。
【背景技術】
【０００２】
近年、組立式家具がしばしば販売されている。組立式家具は、家具の構成部材と該構成部材を連結するための連結手段等とが組立てられていない状態でセットとして販売され、購入者が説明書等を参考に自ら構成部材を連結手段により組立てるようにしたものである。
【０００３】
このような組立式家具用の連結手段としては、ボルトとナットとよりなるもの、あるいは、例えば、特開２００２−３６１号公報に示すように、連結ピンを嵌合孔に嵌合させるようにしてなるものが知られている。以下、これらの連結手段を「従来の組立式家具用の連結手段」という。
【先行技術文献】
【特許文献】
【０００４】
【特許文献１】特開２００２−３６１号公報
【考案の概要】
【考案が解決しようとする課題】
【０００５】
しかるに、上記従来の組立式家具用の連結手段は、組立作業に不慣れな一般人にとっては使用し難いものであり、説明書等を参考にして自ら構成部材を連結手段により組立てることは極めて面倒であり、かつ、時間のかかる作業である。特に、ボルト、ナット等をレンチにより締め付ける作業は、一般人にとっては困難である。
【０００６】
このような状況に鑑み、本発明は、組立作業に不慣れな一般人であっても、容易に、かつ、短時間で組立式家具を組立てることができるようにした組立式家具用の連結手段を提供しようとしてなされたものである。
【課題を解決するための手段】
【０００７】
上記課題を解決するために、本考案は下記の組立式家具用の連結手段を提供する。
【０００８】
（１）組立式家具における一方の構成部材に固定される第一連結体と、当該一方の構成部材に対応する他方の構成部材に固定される第二連結体とよりなり、
該第一連結体は木ねじ用の下穴を備え、該第二連結体は該木ねじ用の案内穴を該下穴に連通するように備え、該案内穴は該木ねじの頭部を受ける頭部受け部を備え、該案内穴は外方からねじ回しにより該木ねじを締め付けることができるように該第二連結体の外部に開口していることを特徴とする組立式家具用の連結手段（請求項１）。
【０００９】
（２）前記第一連結体の下穴と前記第二連結体の案内穴とを該第一連結体及び該第二連結体に対し傾斜させている（請求項２）。
【００１０】
（３）前記第一連結体と前記第二連結体とには、それぞれ位置決め用の嵌合手段を備えさせる（請求項３）。
【考案の効果】
【００１１】
［請求項１の考案］
組立式家具を組立てるに当り、前記一方の構成部材と当該一方の構成部材に対応する前記他方の構成部材とを相互に固定する際には、前記一方の構成部材に固定された前記第一連結体の下穴と前記他方の構成部材に固定された第二連結体の案内穴とを相互に連通させ、木ねじを該第二連結体の案内穴に挿入し、該木ねじを外方からねじ回しにより該第一連結体の下穴にねじ込めばよい。しかるときは、該木ねじの頭部は該案内穴内の頭部受けに当接し、該第一連結体と該第二連結体とが相互に強力に固定される。したがって、前記一方の構成部材と前記他方の構成部材とが相互に強力に固定される。
【００１２】
以上の如く、単に第一連結体の下穴と第二連結体の案内穴とを相互に連通させ、木ねじを該第二連結体の案内穴に挿入し、該木ねじを外方からねじ回しにより該第一連結体の下穴にねじ込むことにより、前記一方の構成部材と前記他方の構成部材とを相互に強力に固定することができる。したがって、組立作業に不慣れな人であっても、容易に、かつ、短時間で組立式家具を組立てることができる。なお、本考案による組立式家具用の連結手段は、当該家具を組み立てた後は、正面及び左右両側面には見えないようにすることができる。
【００１３】
［請求項２の考案］
前記第一連結体の下穴と前記第二連結体の案内穴とを該第一連結体及び該第二連結体に対し傾斜させた状態で、該案内穴を該第二連結体の外部に開口させているため、木ねじをねじ回しにより該第一連結体の下穴にねじ込む作業は容易なものとなる。
【００１４】
［請求項３の考案］
前記第一連結体と前記第二連結体とには、それぞれ位置決め用の嵌合手段を備えさせているため、第一連結体と第二連結体とが相互に確実に位置決めされる。したがって、第一連結体の下穴と第二連結体の案内穴とが相互に確実に連通する。  
【図面の簡単な説明】
【００１５】
【図１】図１は、本考案による組立式家具用の連結手段における使用状態の一例を示す断面図である。
【図２】図２は、同上連結手段を示す断面図である。
【図３】図３は、同上連結手段を示す斜視図である。
【図４】図４は、同上連結手段を示す別の斜視図である。
【図５】図５は、同上連結手段を示す平面図である。
【図６】図６は、同上連結手段の使用状態の一例を示す斜視図である。
【図７】図７は、同上連結手段の使用状態の一例を示す別の斜視図である。
【図８】図８は、組立式家具における垂直の各構成部材を示す斜視図である。
【図９】図９は、同上各構成部材を示す別の斜視図である。
【図１０】図１０は、同上各構成部材を示す更に別の斜視図である。
【図１１】図１１は、同上各構成部材に前記連結手段を用いて水平の構成部材を取り付けた状態を示す斜視図である。
【図１２】図１２は、同上各構成部材に前記連結手段を用いて別の水平の構成部材を取り付けた状態を示す斜視図である。
【考案を実施するための形態】
【００１６】
図８〜図１２において、符号１、３、５、７に示すものは、組立式家具における構成部材である。構成部材１、３は家具における垂直部材であり、構成部材５、７は家具における水平部材である。例えば、構成部材５は棚板であり、構成部材７は底板である。
【００１７】
各構成部材１、３、５、７は、一例として、木粉と合成樹脂とによりハニカム構造体に形成してなるものとする。該ハニカム構造体は、例えば四角形の断面形状を有する。
【００１８】
本考案による組立式家具用の連結手段は、組立式家具における一方の構成部材３に固定される第一連結体１１と、当該一方の構成部材３に対応する他方の構成部材５、７に固定される第二連結体１３とよりなる。
【００１９】
第一連結体１１は木ねじ１５用の下穴１７を備えている。第二連結体１３は該木ねじ１５用の案内穴１９を該下穴１７に連通するように備えている。該案内穴１９は木ねじ１５の頭部１５ａを受ける頭部受け部１９ａを備えている。該案内穴１９は外方からねじ回しにより該木ねじ１５を締め付けることができるように該第二連結体１３の外部に開口している。
【００２０】
図示の事例においては、第一連結体１１の下穴１７と第二連結体１３の案内穴１９とを該第一連結体１１及び該第二連結体１３に対し傾斜させた状態で、該案内穴１９を該第二連結体１３の外部に開口させている。
【００２１】
第一連結体１１と第二連結体１３とには、それぞれ位置決め用の嵌合手段２１、２３を備えさせる。すなわち、一例として、第一連結体１１には嵌合手段２１として突起を備えさせ、第二連結体１３には嵌合手段２３として切り欠きを備えさせ、第一連結手段１１の突起と第二連結体１３の切り欠きとが相互に嵌合することにより、第一連結体１１と第二連結体１３とが相互に確実に位置決めされ、第一連結体１１の下穴１７と第二連結体１３の案内穴１９とが相互に確実に連通する。
【符号の説明】
【００２２】
１  構成部材
３  構成部材
５  構成部材
７  構成部材
１１  第一連結体
１３  第二連結体
１５  木ねじ
１５ａ  頭部
１７  下穴
１９  案内穴
１９ａ  頭部受け部
２１  嵌合手段
２３  嵌合手段
【図１】
0003177219.tif 000003
【図２】
0003177219.tif 000004
【図３】
0003177219.tif 000005
【図４】
0003177219.tif 000006
【図５】
0003177219.tif 000007
【図６】
0003177219.tif 000008
【図７】
0003177219.tif 000009
【図８】
0003177219.tif 000010
【図９】
0003177219.tif 000011
【図１０】
0003177219.tif 000012
【図１１】
0003177219.tif 000013
【図１２】
0003177219.tif 000014